(57)【要約】      （修正有）【課題】広く一般に取り扱うことができるとともに、正確な切断が可能なはさみを提供する。【解決手段】枢動中心を介して接続された２つのはさみ構成部品１ａ、１ｂと、ばね作用により２つのはさみ構成部品１ａ、１ｂを開位置に引き離すばね７とを備えると共に、ばねの位置を変位させることにより、ばね作用を無効にするための手段１０を設ける。【選択図】図１
2008119451.tif 000002
【特許請求の範囲】
【請求項１】
枢動中心（４’）を介して接続された２つのはさみ構成部品（１ａ、１ｂ）と、ばね作用により、前記２つのはさみ構成部品（１ａ、１ｂ）を開位置に引き離すばね（７）とを備えるはさみ（１）において、前記ばね作用を無効にするための手段（１０）を特徴とする、はさみ。
【請求項２】
前記手段（１０）が、荷重位置（I）と無効位置（II）との間で、前記ばね（７）と止め具（８）との間の相対変位を行うためのスライド手段を備えることを特徴とする、請求項１に記載のはさみ。
【請求項３】
前記ばね（７）が、湾曲した板ばねであることを特徴とする、請求項１または２に記載のはさみ。
【請求項４】
前記ばね（７）が、一方のはさみ構成部品（１ａ）上に載置され、もう一方のはさみ構成部品（１ｂ）上に設けられた止め具（８）に反して作用することを特徴とする、請求項１〜３のいずれか一項に記載のはさみ。
【請求項５】
前記ばね（７）が、前記はさみ構成部品（１ａ）の１つに設けられた開口（９）に変位可能に収容されることを特徴とする、請求項１〜４のいずれか一項に記載のはさみ。
【請求項６】
前記ばね（７）が、細長い要素として与えられ、一端（７ａ）を介して、前記はさみ構成部品（１ａ）の一方上に載置され、荷重位置（I）において、前記ばね（７）が、もう一方のはさみ構成部品（１ｂ）上に設けられた止め具（８）と他端（７ｂ）で係合することで、前記はさみ構成部品（１ａ、１ｂ）が、切断運動を実行するときに張力がかけられ、前記止め具（８）と前記ばね（７）との間の相対運動によって無効位置（II）に動かされるようになっていることを特徴とする、請求項１〜５のいずれか一項に記載のはさみ。
【請求項７】
前記ばね（７）が、スライダ（１２）に固定されることを特徴とする、請求項１〜６のいずれか一項に記載のはさみ。
【請求項８】
前記スライダ（１２）が、作動要素（１１）に接続されることを特徴とする、請求項７に記載のはさみ。
【請求項９】
前記無効位置（II）を固定するための安全手段（１３）が設けられることを特徴とする、請求項１〜８のいずれか一項に記載のはさみ。
【請求項１０】
前記ばね作用を無効にするための手段（１０）が、前記安全手段（１３）の作動要素として与えられる作動要素（１１）を備えることを特徴とする、請求項９に記載のはさみ。
【発明の詳細な説明】
【技術分野】
【０００１】
本発明は、請求項１の前文に記載したタイプのはさみに関する。
【背景技術】
【０００２】
さまざまな種類のばね装填式はさみが知られており、例えば、家庭用、園芸用、または趣味の場で使用されている。例えば、ドイツ特許第９１０１４８８号に、上述したタイプのばね装填式はさみが記載されている。既知のはさみは、２つのはさみ構成部品が互いに対して枢動するピボットボルトの周りに巻き付けたねじりばねを備える。ねじりばねの端部はそれぞれ、はさみ構成部品上のそれぞれに載置され、切断するためにはさみ構成部品が閉じられると、ばねに張力がかかり、切断後にハンドル部が解放されると、はさみ構成部品は、ユーザの手が開く動きに従うため、ユーザは、次の切断を行う前に、はさみ構成部品を手動で再度開く必要がない。しかしながら、特に、正確な切断が望まれる場合に、はさみ構成部品が戻り運動中にも感度良く誘導されることが有益となりうる切断作業がある。既知のばね装填式はさみの場合、ユーザは、ばね作用がかかった状態ではさみを開くとき、ある程度、制御を緩めてしまい、正確な切断がより難しくなってしまう。
【発明の開示】
【発明が解決しようとする課題】
【０００３】
本発明の目的は、広く一般に取り扱うことができるとともに、正確な切断が可能なはさみを提供することである。
【課題を解決するための手段】
【０００４】
この目的は、請求項１に記載の特徴によって達成される。
【０００５】
本発明による実施形態によれば、ユーザ自身が、切断後にはさみを自動的に開くことを望むか、または切断プロセスのすべての段階において、はさみ構成部品の運動を制御し続けたいかを決めることができる。比較的粗いか、または厚い物の切断の場合、例えば、鶏肉用の大ばさみとしてはさみを用いる場合、ユーザは、ばね作用をオンにすることで、実際の切断プロセス中のみ、はさみに力を加えればよい。はさみを扱いにくい作業、例えば、紙から模様を切り出す作業などで使用する場合は、ばね作用を無効にすることで、ユーザは、すべての段階において、すなわち、実際の切断中および次の切断が実行される前のはさみ構成部品の戻り運動中において、はさみ構成部品の運動を能動的に決定する。
【０００６】
本発明の有益なさらなる展開は、従属請求項に開示される。
【０００７】
無効動作は、変位運動によって実行されることが好ましく、例えば、片手の親指や他の指を使って、ユーザがはさみを握る力を緩めることなく、変位運動を簡単に実行できるため、変位運動によって、ばねおよび止め具が互いに対して動かされる。変位運動は、線形運動でも、曲線を描く運動でもありうる。
【０００８】
使用するばねは、あまり多くのスペースをとらずに収容できるという理由から、板ばねであることが好ましい。
【０００９】
特に、構造的観点から単純であり、したがって、好ましく使用されるばね作用を無効にする装置の可能性として、ばねが、１つのはさみ構成部品と関連付けられ、もう１つのばね要素と関連付けられた止め具に作用するように設けられたものがあり、ばね作用が有効にされるときのみ、ばねと止め具との間が係合しないようにされなければならない。
【００１０】
ストリップ状またはワイヤ状の板ばねが、特に生産が簡単であり、任意の所望の形状に湾曲可能であるため、前記ばねを幅が狭いはさみ構成部品に簡単に関連付けることができる。
【００１１】
好ましい一実施形態によれば、ばねは、切断動作中に邪魔にならないように、はさみ構成部品に変位可能に収容される。
【００１２】
ばねを直接変位させることも可能であるが、ばねを固定させたスライダを設けることが好ましい。前記スライダの助力で、ばね作用を無効にするためのばねの所定の運動を強化することが構造的により単純になる。
【００１３】
前記スライダが、作動要素そのものとして使用されずに、別の作動要素に接続される場合でも、はさみはさらに容易に取り付けられる。
【００１４】
好ましい一実施形態によれば、ユーザが、ばね作用が無効状態のはさみを使用する場合、無効位置を保持し続けたり、常に復元させたりすることがないように、無効位置を固定するための安全手段が設けられる。
【００１５】
安全手段は、ばね作用を無効にするためにも使用される同じ作動要素によって作動されることが好ましい。このようにして、はさみの取扱がさらに改良される。
【００１６】
以下、本発明の一実施形態について、図面を参照しながらより詳細に説明する。
【発明を実施するための最良の形態】
【００１７】
図１〜図６は本発明により実現され、家庭用や園芸用の私的使用で、または職場、レストランの厨房や他の厨房、庭園、もしくは託児所などの場で使用する手動操作式のはさみとして使用するようになっているはさみ１を示す。本発明によるはさみ１は、例えば、鶏肉用の大ばさみまたは枝切り用の大ばさみとしてはさみを使用する場合に必要となる粗い切断用として使用するのにも、例えば、紙切りのさいに行われる正確な切断用として使用するのにも適している。
【００１８】
はさみ１は、２つのはさみ構成部品１ａおよび１ｂを備え、通常、各構成部品は、切刃２ａ、２ｂと、ハンドル部分３ａ、３ｂとを備える。図示した実施形態において、ハンドル部分３ａ、３ｂの各々は、ばねの支持がなくても可能な限り容易に切刃２ａ、２ｂを開くことができるように、ハンドルの目として与えられる。しかしながら、ハンドル部分は、何らかの他の方法で設計されてもよい。
【００１９】
２つのはさみ構成部品１ａ、１ｂは、切刃２ａ、２ｂとハンドル部分３ａ、３ｂとの間にある枢動中心４’を有するヒンジ４を軸にして枢動するようになっている。枢動中心４’は、通例、取り付けボルト５のシャフト部分５ａによって規定され、この取り付けボルト５は、適切なナット６と組み合わせて、２つのはさみ構成部品１ａ、１ｂを互いに固定する（図５を参照）。
【００２０】
２つのはさみ構成部品１ａ、１ｂの間に、ばね７が配設される。ばね７は、第１のはさみ構成部品１ａ上の支持部分７ａを介した位置に載置され、前記第１のはさみ構成部品１ａとともに移動するようになっている。第２のはさみ構成部品１ｂは、前記第２のはさみ構成部品１ｂに接続され、一緒に移動する止め具８を有する。ばね７は、荷重位置I（図１）において止め具８と係合状態になる係合部分７ｂを備える。ばね７の係合部分７ｂが、止め具８と係合状態にあるとき、止め具８は、矢印Ａの方向に移動し、はさみ１が切断運動を実行するとき、すなわち、２つのはさみ構成部品１ａ、１ｂが互いに向かって移動するとき、ばね７に張力がかかる。ユーザが、ハンドル部分３ａ、３ｂにかける圧力を下げると、はさみ構成部品１ａ、１ｂは、前記ばね７の作用下で引き離され、ハンドル部分は、ユーザの手が開く動きに従う。このようにすることで、ばね７は解放される。ばね７は、所定の開口角度αで張力がかかり、この角度は、ヒンジによって予め決定された最大可能開口角度より小さく、図示した実施形態において、およそ４０°である。これは、前記開口角度αを超えると、ばねには張力がかからないということである。
【００２１】
図示した実施形態において、ばね７は、１本のばね鋼線から容易に湾曲可能な円形の断面を有することが好ましい板ばね（線ばね）である。図示した実施形態において、ばね７は、実質的にＵ字状の形状に湾曲され、第１のはさみ構成部品１ａの開口９に収容される。ばね７は、自由端の一方にある支持部分７ａを介して、開口９の壁上に載置される。係合部分７ｂが設けられた他方の自由端は、前記開口９内に自由に突出し、内側のサイズを止め具８の外側のサイズに適応させた好ましくはフック状の湾曲部を前記係合部分に含む。
【００２２】
本発明によるはさみ１は、手段１０をさらに備え、この手段を用いて、制御の下、はさみ構成部品１ａ、１ｂをユーザが動かすことで開口角度α内で開くことができるように、止め具８とばね７との間の係合を解除することができる。手段１０は、スライド手段として与えられ、ユーザの指のいずれかが届きやすい範囲に配設され、すなわち、ヒンジ４の部分に配設されることが好ましい作動要素１１を備える。作動要素１１は、二重矢印Ｓの方向に、好ましくは、線形に滑って動くように支持される。図示した実施形態において、これを達成するために、作動要素１１は、ピボットボルト５のヘッド５ｂ上に、例えば、蟻溝が切られたガイド表面によって、スナップ式接続を介して滑動可能に配設されることで、前記ヘッド５ｂは、作動要素１１用のガイド手段として働く。ばね７は、作動要素１１が矢印Ｓに沿って変位すると一緒に引っ張られるように作動要素１１に接続される。
【００２３】
ばね７と作動要素１１との間の接続は、溝１２ａが設けられたスライダ１２を介して確立されることが好ましく、溝１２ａ内にばね７が押し込まれ、ばねは、ばねに張力がかかるときと、解放されるときに移動できる。スライダ１２は、止め具８が移動する開口９の拡張部を規定するガイド開口９ａを走行する。スライダ１２は、前記作動要素１１の運動によって一緒に引っ張られるような方法で、作動要素１１の開口１１ａに保持される。
【００２４】
矢印Ｓの方向に、すなわち、切刃２ａ、２ｂの方向に、図３および図４に示す位置へ作動要素１１を変位させることによって、スライダ１２は、ガイド手段９ａ内に押し込まれ、このようにしてばね７を一緒に引っ張る。変位の可能性は、スライダ１２が最上位置を占めるときに、止め具８の係合部分からばね７が変位するような寸法のものである。
【００２５】
このようにして、ばね７は無効にされ、すなわち、止め具８は、はさみ構成部品１ａ、１ｂが閉じられるときに、ばね７に張力をかけずに開口９で自由に移動できる。これは、ばね７に張力がかかっていないということであり、すなわち、次の切断が実行される前に、ユーザがはさみ構成部品１ａ、１ｂを開かなければならないということである。ばね７は、図１に示す荷重位置Iに押し戻されるまで、図３に示す無効位置IIにとどまる。
【００２６】
作動要素１１は、同時に、開口９、ガイド手段９ａ、およびガイド手段に設けられた部品用のカバーとしても与えられるため、これらの部品は汚れ防止対策がなされ、より簡単にはさみをきれいな状態にすることができる。
【００２７】
さらに、一方または両方の位置I、IIを固定することで、はさみを一方の位置から他方へ不注意に移動させることはできないが、ユーザが容易にほとんど労力をかけることなく、好ましくは、１本の指で調節できるようにする安全手段１３が設けられる。安全手段１３は、作動要素１１に関連付けられることが好ましく、ピボットボルト５のヘッド５ｂの方に向いた作動要素１１のガイド表面上で、前記ヘッド５ｂの方へ突き出る突起部１４を備える。作動要素、または少なくとも突起部１４は、弾性的に退くことができ、すなわち、突起部１４は、エラストマ、ゴムなどの弾性的に圧縮可能な材料か、または何らかの他の弾性的に変形可能な材料からなるか、または、例えば、弾性的に退く支持体上、例えば、外向きに湾曲する作動要素壁上に移動可能に固定される。作動要素１１の両側に対称的に設けられることが好ましい突起部１４は、自由な空間が、ヘッド５ｂの直径の寸法より小さくなる程度までガイド手段内に突出する。しかしながら、突起部１４は、通常の指圧で生じる作動要素１１の変位運動によって打ち消されない程度にガイド手段内で突出しない。突起部１４は、ヘッド５ｂが荷重位置Iおよび無効位置IIのそれぞれを占めるとき、作動要素１１上のヘッド５ｂとガイド表面との間の接触部分の外側にある、変位経路Ｓに沿った位置に設けられる。言い換えれば、突起部１４は、ヘッド５ｂの２つの端部位置間にある位置に設けられる。これは、作動要素１１が、位置I、IIの各々にあるときに不注意に変位しないように保護されるという効果を有する。
【００２８】
上述した特定の実施形態の修正例として、任意の他のばね作用無効手段を使用することもできる。１つの可能性は、例えば、ばねの代わりに止め具を移動させることである。線形変位運動ではなく、回転または枢動運動にすることもできる。ばねは、例えば、枢動中心に沿った変位によって無効にされてもよい。
【図面の簡単な説明】
【００２９】
【図１】ばね荷重がかかったはさみを部分的に断面図で示した平面図を示す。
【図２】図１に示すII−IIの断面を示す。
【図３】図１に類似しているが、ばね作用が無効にされた状態のばねの図を示す。
【図４】図３に示すIV−IVの断面を示す。
【図５】図１に示すV−Vの断面を示す。
【図６】作動要素を下方から見た図を示す。
【符号の説明】
【００３０】
１…はさみ、２ａ、２ｂ…切刃、３ａ、３ｂ…ハンドル部分、４…ヒンジ、４’…枢動中心、５…取り付けボルト、５ａ…シャフト部分、６…ナット、７…ばね、７ａ…支持部分、７ｂ…係合部分、８…止め具、９…開口、１１…作動要素、１２…スライダ、１３…安全手段、１４…突起部。
【図１】
2008119451.tif 000003
【図２】
2008119451.tif 000004
【図３】
2008119451.tif 000005
【図４】
2008119451.tif 000006
【図５】
2008119451.tif 000007
【図６】
2008119451.tif 000008
【外国語明細書】
2008119451000001.pdf